(57)【特許請求の範囲】
【請求項１】
容器本体に着脱自在に装着されるとともに内部に前記容器本体内に通じる入口と外気に開口する出口とを有する注液通路を形成した栓体を具備し、該栓体には、前記注液通路の入口を上下動動作により開閉するとともに常時閉方向に付勢された弁体と、前記注液通路の出口を弧回動動作により開閉するカバー部材とを設けてなる液体容器の栓装置であって、前記カバー部材を上下動動作により開閉操作する操作部材を付設し且つ該操作部材と前記カバー部材との間には、前記カバー部材の開状態を保持させる規制手段を設ける一方、前記カバー部材には、該カバー部材の開作動時に前記弁体を開作動させるカム片を一体に形成し且つ該カム片の回動中心を、前記弁体の上下動動作時の動作線上に位置させるとともに、前記カム片における前記弁体との当接面を、前記弁体を最大下動位置まで下動させる第１カム面と、該第１カム面の下端から上方に延びる第２カム面とにより構成し、前記第１カム面における最大下動点とカム片の回動中心との距離をＲ1、前記第２カム面とカム片の回動中心との距離をＲ2とするとき、Ｒ1≦Ｒ2に設定したことを特徴とする液体容器の栓装置。
【請求項２】
前記規制手段を、前記カバー部材における操作部に形成した係合凹部と、前記操作部材に一体に形成され、該操作部材の下動時に前記係合凹部に係合する係合リブとによって構成したことを特徴とする前記請求項１記載の液体容器の栓装置。
【請求項３】
前記栓体には、前記操作部材を上下動時に案内するガイドレールを形成したことを特徴とする前記請求項１および２のいずれか一項記載の液体容器の栓装置。
【発明の詳細な説明】
【０００２】
【発明の属する技術分野】
【０００３】
本願発明は、魔法瓶等の液体容器の栓装置に関するものである。
【従来の技術】
【０００４】
従来から良く知られている液体容器の栓装置としては、栓体内に形成された注液通路の入口を開閉する弁体を、栓体に対して弧回動自在に軸支された操作レバーのカム面の回動変位により開閉作動せしめるようにするとともに、前記操作レバーを、そのカム面が弁体開の押圧死点を若干越える開位置で位置規制するようにしたものがある（実開平３−８１０４１号公報参照）。
【発明が解決しようとする課題】
【０００５】
上記公知例の液体容器の栓装置の場合、操作レバーを、そのカム面が弁体開の押圧死点を若干越える開位置で位置規制するようにしているため、操作レバーの回動中心と弁体の上下動作時の動作線とを水平方向に位置ズレさせる必要がある。すると、弁体の開状態において該弁体を上方（即ち、閉方向）に付勢しているスプリングにより操作レバーにモーメントが作用することとなる。従って、弁体および操作レバーに組み付け誤差が生じたり、弁体の上下動時にブレが生じたりすると、前記モーメントにより操作レバーの位置規制が困難となる場合が生ずる。また、上記公知例のものでは、注液通路の出口はコップの被嵌により閉鎖されることとなっているが、コップを取り外した状態では、注液通路を介してゴミあるいは虫等が侵入するおそれがある。
【０００６】
本願発明は、上記の点に鑑みてなされたもので、注液通路の出口を開閉するカバー部材を開作動させた時にカム片の押圧力によって開作動された弁体に作用する付勢力がカム片にモーメントを作用させることのないようにし、カバー部材および弁体の開状態保持を容易に行い得るようにすることを目的とするものである。
【課題を解決するための手段】
【０００７】
請求項１の発明では、上記課題を解決するための手段として、容器本体に着脱自在に装着されるとともに内部に前記容器本体内に通じる入口と外気に開口する出口とを有する注液通路を形成した栓体を具備し、該栓体には、前記注液通路の入口を上下動動作により開閉するとともに常時閉方向に付勢された弁体と、前記注液通路の出口を弧回動動作により開閉するカバー部材とを設けてなる液体容器の栓装置において、前記カバー部材を上下動動作により開閉操作する操作部材を付設し且つ該操作部材と前記カバー部材との間に、前記カバー部材の開状態を保持させる規制手段を設ける一方、前記カバー部材に、該カバー部材の開作動時に前記弁体を開作動させるカム片を一体に形成し且つ該カム片の回動中心を、前記弁体の上下動動作時の動作線上に位置させるとともに、前記カム片における前記弁体との当接面を、前記弁体を最大下動位置まで下動させる第１カム面と、該第１カム面の下端から上方に延びる第２カム面とにより構成し、前記第１カム面における最大下動点とカム片の回動中心との距離をＲ1、前記第２カム面とカム片の回動中心との距離をＲ2とするとき、Ｒ1≦Ｒ2に設定している。
【０００８】
上記のように構成したことにより、注液通路の出口を開閉するカバー部材を開作動させた時にカム片の押圧力によって開作動された弁体に作用する付勢力がカム片にモーメントを作用させることがなくなり、カバー部材および弁体の開状態保持が容易となる。しかも、カバー部材を上下動動作により開閉操作する操作部材とカバー部材との間に、前記カバー部材の開状態を保持させる規制手段を設けているので、カバー部材の開状態保持がより一層確実となる。さらに、カバー部材が超過操作されても、カム片により開作動された弁体は、開状態を維持するか、開方向への移動しかしないこととなり、弁体により開放面積を確保することができる。また、栓体をコンパクト化しても、適度な注液通路出口と適度な操作部とを確保することができる。
【０００９】
請求項２の発明におけるように、請求項１記載の液体容器の栓装置において、前記規制手段を、前記カバー部材における操作部に形成した係合凹部と、前記操作部材に一体に形成され、該操作部材の下動時に前記係合凹部に係合する係合リブとによって構成した場合、規制手段の構造が簡略化できる。開状態の保持を、弁体とカム片との係合力で規制しないため、開状態の保持を安定させることができる。
【００１０】
請求項３の発明におけるように、請求項１および２のいずれか一項記載の液体容器の栓装置において、前記栓体に、前記操作部材の上下動時に案内するガイドレールを形成した場合、操作部材の上下動操作がスムーズに行える。
【発明の実施の形態】
【００１１】
以下、添付の図面を参照して、本願発明の幾つかの好適な実施の形態について説明する。
【００１２】
第１の実施の形態
図１ないし図４には、本願発明の第１の実施の形態にかかる液体容器の栓装置が示されている。
【００１３】
この液体容器の栓装置は、図１に示すように、ステンレス鋼製の真空二重容器からなる容器本体１の注口部２に螺着脱自在に取り付けられるものである。符号３は前記注口部２の外側を覆うべく螺着脱されるコップである。
【００１４】
前記栓装置は、容器本体１の注口部２に螺着脱自在に装着されるとともに内部に前記容器本体１内に通じる入口５ａと外気に開口する出口５ｂとを有する注液通路５を形成した栓体４を具備しており、該栓体４には、前記注液通路５の入口５ａを上下動動作により開閉するとともに常時閉方向に付勢された弁体６と、前記注液通路５の出口５ｂを弧回動動作により開閉するカバー部材７と、該カバー部材７を上下動動作により開閉操作する操作部材８とが設けられている。
【００１５】
前記栓体４は、前記容器本体注口部２に螺着されるネジ部９を有する有底円筒形状の栓本体４ａと、該栓本体４ａの底部中心部から一体に立設され且つ前記弁体６の上下動時のガイドとなる弁支持筒４ｂとからなっている。
【００１６】
前記注液通路５は、前記栓本体４ａと前記弁支持筒４ｂと栓本体４ａと弁支持筒４ｂを連結する連結部４ｃとで囲まれて前記栓体４内における一方向側の一部に縦方向に形成されている。このことにより、注液時における注液方向を特定できるようになっている。符号１０は注液時の空気取り入れ穴である。
【００１７】
また、前記栓本体４ａの下端部には、容器本体注口部２の下端部および弁体６とのシール性を確保するためのシールパッキン１１が設けられている。
【００１８】
前記弁体６は、前記シールパッキン１１に当接されて前記注液通路５の入口５ａを開閉する弁部６ａと該弁部６ａの中心部から上方に延びて前記弁支持筒４ｂ内に位置せしめられる弁棒部６ｂとからなっており、該弁棒部６ｂの上端部に形成された環状の係止部６ｃに係止されたスプリング受け１２と前記弁支持筒４ｂの底部との間に介設されたスプリング１３により上方に付勢された状態（換言すれば、閉方向に付勢された状態）で支持されている。なお、弁体６は栓体４の中心部に位置されている。また、前記弁支持筒４ｂの底部には、前記弁体弁棒部６ｂの外周に上端部が摺接されるガイド筒１４が一体に突設されており、該ガイド筒１４により弁体６の上下動がスムーズに行えることとなっている。さらに、前記弁支持筒４ｂの内周面には、弁体６の上下動時に前記スプリング受け１２をスムーズにガイドする縦リブ１５が形成されている。符号２６は前記ガイド筒１４と弁体弁棒部６ｂとの間をシールするシールパッキンである。
【００１９】
前記カバー部材７は、前記注液通路５の出口５ｂを開閉するカバー部７ａと、該カバー部材７の回動中心である支軸１６の反対側に位置する操作部７ｂとからなっている。前記支軸１６は、前記カバー部材７に一体に形成されており、前記弁体６の上下動動作時の動作線Ｏ上（換言すれば、栓体４の中心線上）に位置して軸受部材１７に回動自在に枢支されている。
【００２０】
また、前記カバー部材７の下面には、該カバー部材７の開作動時に前記弁体６の弁棒部６ｂの上端を押圧して該弁体６を開作動させるカム片１８が一体に形成されている。該カム片１８における前記弁体弁棒部６ｂとの当接面は、前記弁体６を最大下動位置まで下動させる第１カム面１８ａと、該第１カム面１８ａの下端から上方に延びる第２カム面１８ｂとにより構成されており、前記第１カム面１８ａにおける最大下動点Ｐとカム片１８の回動中心との距離をＲ1、前記第２カム面１８ｂとカム片１８の回動中心との距離をＲ2とするとき、Ｒ1＝Ｒ2に設定されている。なお、図５に示すように、Ｒ1＜Ｒ2に設定してもよい。Ｒ1＝Ｒ2に設定した場合には、カム片１８の過回動時にも弁体６は下動変位することがなくなるし、Ｒ1＜Ｒ2に設定した場合には、カム片１８の過回動時に弁体６が下動変位するが、いずれの場合にも弁体６による開放面積は確保される。
【００２１】
カバー部材７が注液通路出口５ｂを閉塞している状態においては、弁体６の弁棒部６ｂの上端とカム片１８の第１カム面１８ａとの間にクリアランスが設けられる。このようにすると、弁体６が上動限（即ち、閉状態）に至る前にカバー部材７が閉状態となることがなくなり、弁体６による注液通路入口５ａの閉塞が確実に行えることとなる。
【００２２】
さらに、前記カバー部材７における操作部７ｂの上面には、該カバー部材７の開状態を保持させる規制手段Ａの一方側を構成する係合凹部１９が形成されている。
【００２３】
前記操作部材８は、略長方形形状を呈しており、その下面には、下動時に前記カバー部材７の操作部７ｂを押圧するとともに下動限において前記係合凹部１９に係合する係合リブ２０が一体に形成されている。該係合リブ２０は、前記カバー部材７の開状態を保持させる規制手段Ａの他方側を構成している。この操作部材８の両側には、前記栓体４の内面に形成されたガイドレール２１に係合して操作部材８の上下動をスムーズに行う突起２２が一体に形成されている。符号８ａは、カバー部材７の閉状態において、その操作部７ｂの回動を規制するストッパーである。
【００２４】
前記栓体４の栓本体４ａの内周面には、前記操作部材８の押し下げ過ぎを規制する規制リブ２３が一体に形成されている。
【００２５】
図面中、符号２４は栓体４の上面となる蓋である。
【００２６】
上記のように構成された液体容器の栓装置は、次のように作用する。
【００２７】
図２に示すように、カバー部材７が注液通路出口５ｂを閉塞している状態においては、カム片１８と弁体弁棒部６ｂの上端とは非当接状態とされており、弁体６は、スプリング１３の付勢力により閉弁状態とされている。
【００２８】
図２の状態から図３に示すように、操作部材８を手指で押し下げると、該操作部材８の係合リブ２０の押圧力によってカバー部材７の操作部７ｂが矢印Ｍ方向に回動され、カバー部材７のカバー部７ａが注液通路出口５ｂを開放するとともに、カム片１８の回動変位により弁体弁棒部６ｂがスプリング１３の付勢力に抗して押し下げられ、弁体６が開弁状態とされる。この時、操作部材８の係合リブ２０がカバー部材７の係合凹部１９に係合され、その係合力によってカバー部材７の開状態が保持される。
【００２９】
この状態においては、カム片１８の押圧力によって開作動された弁体６に作用するスプリング１３の付勢力がカム片１８にモーメントを作用させることがなくなる。従って、カバー部材７および弁体６の開状態を保持するための規制手段を設けなくともよいが、本実施の形態においては、カバー部材７および弁体６の開状態をより確実に保持するために、規制力の小さい規制手段Ａ（即ち、係合凹部１９と係合リブ２０との係合力を利用したもの）が用いられている。
【００３０】
また、カム片１８の回動により第１カム面１８ａによって弁体６が下動された後、弁体６の最大下動後においては弁体６の上下動変位が生じることがなくなり、弁体６の開状態を確保し易くなる。
【００３１】
図３の状態から容器本体１の注口部２にコップ３を装着すると、カバー部材７はコップ３の押圧力により閉作動されるとともに、弁体６も閉作動される。
【００３２】
さらに、本実施の形態においては、支軸１６を、弁体６の上下動動作時の動作線Ｏ上（換言すれば、栓体４の中心線上）に位置させているため、栓体４をコンパクト化したとしても、注液通路出口５ｂおよび操作部材８を適度の大きさとすることができる。
【００３３】
第２の実施の形態
図６ないし図８には、本願発明の第２の実施の形態にかかる液体容器の栓装置が示されている。
【００３４】
この場合、カバー部材７および操作部材８は、栓体４の弁支持筒４ｂに対して螺着脱自在とされるとともに注液通路５の壁面の一部を構成する略円筒形状の支持部材２５に組み付けられている。該支持部材２５は、前記カバー部材７および操作部材８が組み付けられる有底円筒形状の支持部２５ａと、前記弁支持筒４ｂに形成された外ネジ３０に螺合される内ネジ３１を有するネジ筒部２５ｂとからなっており、前記支持部２５ａの底部には、弁体６の弁棒部６ｂの上部が臨まされる開口３２が形成されている。符号２７は弁体弁棒部６ｂと支持部材２５における支持部２５ａの底部開口３２との間をシールするシールパッキンである。このようにすると、支持部材２５を栓体４の弁支持筒４ｂから離脱させれば、図７に示すように、栓体４内部が開放状態となり、ブラシ洗浄が可能となる。従って、液体容器使用者においては、従前にも増して清潔感を満足させることができる。その他の構成および作用効果は、第１の実施の形態におけると同様なので説明を省略する。
【００３５】
第３の実施の形態
図９には、本願発明の第３の実施の形態にかかる液体容器の栓装置が示されている。
【００３６】
この場合、第２の実施の形態におけるカバー部材７のカバー部７ａには、該カバー部材７の閉作動時に注液通路出口５ｂを密栓するシール部材２８が取り付けられている。該シール部材２８は、逆円錐形状とされており、カバー部材７の閉作動時には前記注液通路出口５ｂに形成された傾斜面２９に圧接されることとなっている。なお、この場合には、シール部材２８により注液通路出口５ｂを密栓する必要があるところから、カバー部材７の閉状態においてカム片１８の第１カム面１８ａに弁体６の弁棒部６ｂがスプリング１３の付勢力により圧接されることとなっている。このようにしても、シール部材２８が弾性変形するので、弁体６が上動限（即ち、閉状態）に至らないということはない。このようにすると、カバー部材７の閉状態においては、注液通路出口５ｂがシール部材２８により確実に閉塞されることとなり、注液通路５を介しての内容液の漏れが生じることがなくなる。その他の構成および作用効果は、第１の実施の形態におけると同様なので説明を省略する。
【発明の効果】
【００３７】
請求項１の発明によれば、容器本体に着脱自在に装着されるとともに内部に前記容器本体内に通じる入口と外気に開口する出口とを有する注液通路を形成した栓体を具備し、該栓体には、前記注液通路の入口を上下動動作により開閉するとともに常時閉方向に付勢された弁体と、前記注液通路の出口を弧回動動作により開閉するカバー部材とを設けてなる液体容器の栓装置において、前記カバー部材を上下動動作により開閉操作する操作部材を付設し且つ該操作部材と前記カバー部材との間に、前記カバー部材の開状態を保持させる規制手段を設ける一方、前記カバー部材に、該カバー部材の開作動時に前記弁体を開作動させるカム片を一体に形成し且つ該カム片の回動中心を、前記弁体の上下動動作時の動作線上に位置させるとともに、前記カム片における前記弁体との当接面を、前記弁体を最大下動位置まで下動させる第１カム面と、該第１カム面の下端から上方に延びる第２カム面とにより構成し、前記第１カム面における最大下動点とカム片の回動中心との距離をＲ1、前記第２カム面とカム片の回動中心との距離をＲ2とするとき、Ｒ1≦Ｒ2に設定しているので、注液通路の出口を開閉するカバー部材を開作動させた時にカム片の押圧力によって開作動された弁体に作用する付勢力がカム片にモーメントを作用させることがなくなり、カバー部材および弁体の開状態保持が容易となるという効果がある。しかも、カバー部材を上下動動作により開閉操作する操作部材とカバー部材との間に、前記カバー部材の開状態を保持させる規制手段を設けているので、カバー部材の開状態保持がより一層確実となるという効果もある。さらに、カバー部材が超過操作されても、カム片により開作動された弁体は、開状態を維持するか、開方向への移動しかしないこととなり、弁体により開放面積を確保することができるという効果もある。また、栓体をコンパクト化しても、適度な注液通路出口と適度な操作部とを確保することができるという効果もある。
【００３８】
請求項２の発明におけるように、請求項１記載の液体容器の栓装置において、前記規制手段を、前記カバー部材における操作部に形成した係合凹部と、前記操作部材に一体に形成され、該操作部材の下動時に前記係合凹部に係合する係合リブとによって構成した場合、規制手段の構造が簡略化できる。開状態の保持を、弁体とカム片との係合力で規制しないため、開状態の保持を安定させることができる。
【００３９】
請求項３の発明におけるように、請求項１および２のいずれか一項記載の液体容器の栓装置において、前記栓体に、前記操作部材の上下動時に案内するガイドレールを形成した場合、操作部材の上下動操作がスムーズに行える。
【図面の簡単な説明】
【００４０】
【図１】本願発明の第１の実施の形態にかかる栓装置を備えた液体容器の縦断面図である。
【図２】本願発明の第１の実施の形態にかかる液体容器の栓装置の閉弁状態を示す縦断面図である。
【図３】本願発明の第１の実施の形態にかかる液体容器の栓装置の開弁状態を示す縦断面図である。
【図４】本願発明の第１の実施の形態にかかる液体容器の栓装置の平面図である。
【図５】本願発明の第１の実施の形態にかかる液体容器の栓装置におけるカム片と弁体弁棒部との関係を示す説明図である。
【図６】本願発明の第２の実施の形態にかかる液体容器の栓装置の閉弁状態を示す縦断面図である。
【図７】本願発明の第２の実施の形態にかかる液体容器の栓装置の開弁状態を示す縦断面図である。
【図８】本願発明の第２の実施の形態にかかる液体容器の栓装置の分解状態を示す縦断面図である。
【図９】本願発明の第３の実施の形態にかかる液体容器の栓装置の閉弁状態を示す縦断面図である。
【符号の説明】
【００４１】
１は容器本体、２は注口部、４は栓体、５は注液通路、５ａは入口、５ｂは出口、６は弁体、７はカバー部材、８は操作部材、１３はスプリング、１６は支軸、１８はカム片、１８ａは第１カム面、１８ｂは第２カム面、１９は係合凹部、２０は係合リブ、２１はガイドレール、２２は突起、２４は支持部材、Ａは規制手段、Ｐは最大下動点。
【図１】
0003551081.tif 000002
【図２】
0003551081.tif 000003
【図３】
0003551081.tif 000004
【図４】
0003551081.tif 000005
【図５】
0003551081.tif 000006
【図６】
0003551081.tif 000007
【図７】
0003551081.tif 000008
【図８】
0003551081.tif 000009
【図９】
0003551081.tif 000010